(57)【要約】【課題】各端末に関するレジスタ登録要求に起因して生ずる呼制御サーバの処理負担を軽減できるとともに、呼制御サーバと各端末とを結ぶ回線でのトラフィック増大を抑制できるようにする。【解決手段】呼制御サーバ１０で、収容する各端末３０〜３３の外線番号のうち、ダイヤルインサービスを構成する親番号と子番号との対応関係を管理し、任意の端末に関するレジスタ登録要求に応じて当該端末の外線番号に対応付けて当該レジスタ登録要求に含まれる登録情報を登録情報テーブルに登録するとともに、契約情報テーブルを参照して当該外線番号を親番号とする子番号が存在する場合は当該子番号についても登録情報テーブルへ登録する。【選択図】  図１
2006174110.tif 000002
【特許請求の範囲】
【請求項１】
ＩＰ網を介して音声パケットの送受信を行う複数の端末について、呼制御サーバで前記各端末を収容するとともに当該端末の登録情報に基づき呼制御を行うことにより、前記ＩＰ網を用いた前記端末での音声通信を実現するＶｏＩＰサービスシステムであって、
前記呼制御サーバは、
前記各端末の外線番号のうちダイヤルインサービスを構成する親番号と子番号との対応関係を管理する契約情報テーブルと、
前記各端末の外線番号ごとに当該端末を呼制御するのに用いる各種登録情報を管理する登録情報テーブルと、
前記端末に関するレジスタ登録要求に応じて当該端末の外線番号に対応付けて当該レジスタ登録要求に含まれる登録情報を前記登録情報テーブルに登録するとともに、前記契約情報テーブルを参照して当該外線番号を親番号とする子番号が存在する場合は当該子番号に関する登録情報を前記登録情報テーブルへ登録する登録管理手段と
を備えることを特徴とするＶｏＩＰサービスシステム。
【請求項２】
請求項１に記載のＶｏＩＰサービスシステムにおいて、
前記登録管理手段は、前記子番号に関する登録情報として、前記登録情報テーブルに登録されている前記親番号の登録情報への参照を指示する子番号用登録情報を用いることを特徴とするＶｏＩＰサービスシステム。
【請求項３】
請求項１に記載のＶｏＩＰサービスシステムにおいて、
前記登録管理手段は、前記子番号に関する登録情報として、前記登録情報テーブルに登録されている前記親番号の登録情報と同じ登録情報を用いることを特徴とするＶｏＩＰサービスシステム。
【請求項４】
ＩＰ網を介して音声パケットの送受信を行う複数の端末を収容するとともに当該端末の登録情報に基づき呼制御を行うことにより、前記ＩＰ網を用いた前記端末での音声通信を実現する、ＶｏＩＰサービスシステムの呼制御サーバであって、
前記各端末の外線番号のうちダイヤルインサービスを構成する親番号と子番号との対応関係を管理する契約情報テーブルと、
前記各端末の外線番号ごとに当該端末を呼制御するのに用いる各種登録情報を管理する登録情報テーブルと、
前記端末に関するレジスタ登録要求に応じて当該端末の外線番号に対応付けて当該レジスタ登録要求に含まれる登録情報を前記登録情報テーブルに登録するとともに、前記契約情報テーブルを参照して当該外線番号を親番号とする子番号が存在する場合は当該子番号に関する登録情報を前記登録情報テーブルへ登録する登録管理手段と
を備えることを特徴とする呼制御サーバ。
【請求項５】
請求項４に記載の呼制御サーバにおいて、
前記登録管理手段は、前記子番号に関する登録情報として、前記登録情報テーブルに登録されている前記親番号の登録情報への参照を指示する子番号用登録情報を用いることを特徴とする呼制御サーバ。
【請求項６】
請求項４に記載の呼制御サーバにおいて、
前記登録管理手段は、前記子番号に関する登録情報として、前記登録情報テーブルに登録されている前記親番号の登録情報と同じ登録情報を用いることを特徴とする呼制御サーバ。
【請求項７】
ＩＰ網を介して音声パケットの送受信を行う複数の端末について、呼制御サーバで前記端末を収容するとともに当該端末の登録情報に基づき呼制御を行うことにより、前記ＩＰ網を用いた前記端末での音声通信を実現する、ＶｏＩＰサービスシステムの呼制御方法であって、
呼制御サーバにより、前記各端末の外線番号のうちダイヤルインサービスを構成する親番号と子番号との対応関係を契約情報テーブルで管理するステップと、
呼制御サーバにより、前記各端末の外線番号ごとに当該端末を呼制御するのに用いる各種登録情報を登録情報テーブルで管理するステップと、
呼制御サーバにより、前記端末に関するレジスタ登録要求に応じて当該端末の外線番号に対応付けて当該レジスタ登録要求に含まれる登録情報を前記登録情報テーブルに登録するとともに、前記契約情報テーブルを参照して当該外線番号を親番号とする子番号が存在する場合は当該子番号に関する登録情報を前記登録情報テーブルへ登録する登録管理ステップと
を備えることを特徴とする呼制御方法。
【請求項８】
請求項７に記載の呼制御方法において、
前記登録管理ステップは、前記子番号に関する登録情報として、前記登録情報テーブルに登録されている前記親番号の登録情報への参照を指示する子番号用登録情報を用いることを特徴とする呼制御方法。
【請求項９】
請求項７に記載の呼制御方法において、
前記登録管理ステップは、前記子番号に関する登録情報として、前記登録情報テーブルに登録されている前記親番号の登録情報と同じ登録情報を用いることを特徴とする呼制御方法。
【発明の詳細な説明】
【技術分野】
【０００１】
本発明は、ＩＰ（Internet Protocol）網を使った音声通信技術に関し、特に音声通信サービス（ＶｏＩＰサービス：Voice over Internet Protocol）において提供するダイヤルインサービスのための呼制御技術に関する。
【背景技術】
【０００２】
ＩＰ網での音声通信であるＶｏＩＰサービスは、システム構築および運用の両面において従来のＰＳＴＮ（Public Switched Telephone Network：公衆交換電話網）より低廉であることから多くの注目を集めている。
ＩＰ網での音声通信では、送信側で音声データを小容量のデジタルデータからなる音声パケットに分割して送信し、受信側で音声に復号する方式がとられる。これにより、音声とデータとを区別することなく共存させて同一のＩＰ網で送受信することを可能としている。
【０００３】
このようなＶｏＩＰサービスシステムでは、従来のＰＳＴＮを用いたＰＢＸ（Private Branch eXchange：構内交換機）システムからＶｏＩＰサービスシステムへの移行に伴って、従来のＰＢＸシステムで提供されていたサービスに対するＶｏＩＰサービスシステムでの実現が検討されている。
このようなサービスの１つに、ＶＰＮ（Virtual Private Network：仮想閉域網）を用いた音声ＶＰＮサービスがある。この種の音声ＶＰＮサービスは、共用可能なＩＰ網上に、仮想的にユーザ専用のネットワークを構築して異なる拠点に位置する各支社・支店のＰＢＸシステム間を接続して内線統合し、これら拠点の端末間で内線発信機能を実現するサービスである。
【０００４】
また、このようなＰＢＸシステムに有用なサービスとして、ダイヤルインサービスがある。ダイヤルインサービスとは、１つの契約電話番号（以下、親番号という）に対して１つ以上の追加番号（以下、子番号という）の追加を認め、低コストで複数端末を使い分けを実現するサービスである。このサービスによれば、網側でこれら親番号および子番号のいずれかを着信先電話番号とする着信があった場合、網側からの着信通知時にその着信先電話番号が通知されるため、これをＰＢＸシステムやダイヤルイン切替装置で受信して、その着信先電話番号に対応する端末を個別に呼び出すことが可能となる。
【０００５】
なお、出願人は、本明細書に記載した先行技術文献情報で特定される先行技術文献以外には、本発明に関連する先行技術文献を出願時までに発見するには至らなかった。
【特許文献１】特開２００３−１５２８９０号公報
【特許文献２】特開２００３−２８３６５３号公報
【特許文献３】特開２００３−０１８１８２号公報
【発明の開示】
【発明が解決しようとする課題】
【０００６】
しかしながら、ＶｏＩＰサービスシステムで用いられる例えばＳＩＰ（Session Initiation Protocol）などの一般的な呼制御プロトコルでは、網側に設けられた呼制御サーバにおいて、自装置に接続されている端末からのレジスタ登録要求（ＲＥＧＩＳＴＥＲリクエスト）を定期的に受け付けて、各端末の電話番号やＩＰアドレスなど、この端末の呼制御に用いる登録情報を端末ごとに管理するものとなっているため、従来のＶｏＩＰサービスシステムでは、前述のダイヤルインサービスを提供する場合、親番号の端末だけでなく子番号の端末からも個別にレジスタ登録要求を受け付ける必要がある。したがって、これら各端末に関するレジスタ登録要求により、呼制御サーバの処理が煩雑になり処理負担が増大するとともに、呼制御サーバと各端末とを結ぶ回線でのトラフィックが増大するという問題点があった。
【０００７】
本発明はこのような課題を解決するためのものであり、各端末に関するレジスタ登録要求に起因して生ずる呼制御サーバの処理負担を軽減できるとともに、呼制御サーバと各端末とを結ぶ回線でのトラフィック増大を抑制できるＶｏＩＰサービスシステム、呼制御サーバ、および呼制御方法を提供することを目的としている。
【課題を解決するための手段】
【０００８】
このような目的を達成するために、本発明にかかるＶｏＩＰサービスシステムは、ＩＰ網を介して音声パケットの送受信を行う複数の端末について、呼制御サーバで各端末を収容するとともに当該端末の登録情報に基づき呼制御を行うことにより、ＩＰ網を用いた端末での音声通信を実現するＶｏＩＰサービスシステムであって、呼制御サーバに、各端末の外線番号のうちダイヤルインサービスを構成する親番号と子番号との対応関係を管理する契約情報テーブルと、各端末の外線番号ごとに当該端末を呼制御するのに用いる各種登録情報を管理する登録情報テーブルと、端末に関するレジスタ登録要求に応じて当該端末の外線番号に対応付けて当該レジスタ登録要求に含まれる登録情報を登録情報テーブルに登録するとともに、契約情報テーブルを参照して当該外線番号を親番号とする子番号が存在する場合は当該子番号に関する登録情報を登録情報テーブルへ登録する登録管理手段とを備えるものである。
【０００９】
この際、登録管理手段で、子番号に関する登録情報として、登録情報テーブルに登録されている親番号の登録情報への参照を指示する子番号用登録情報を用いるようにしてもよい。あるいは、登録管理手段で、子番号に関する登録情報として、登録情報テーブルに登録されている親番号の登録情報と同じ登録情報を用いるようにしてもよい。
【００１０】
また、本発明にかかる呼制御サーバは、ＩＰ網を介して音声パケットの送受信を行う複数の端末を収容するとともに当該端末の登録情報に基づき呼制御を行うことにより、ＩＰ網を用いた端末での音声通信を実現する、ＶｏＩＰサービスシステムの呼制御サーバであって、各端末の外線番号のうちダイヤルインサービスを構成する親番号と子番号との対応関係を管理する契約情報テーブルと、各端末の外線番号ごとに当該端末を呼制御するのに用いる各種登録情報を管理する登録情報テーブルと、端末に関するレジスタ登録要求に応じて当該端末の外線番号に対応付けて当該レジスタ登録要求に含まれる登録情報を登録情報テーブルに登録するとともに、契約情報テーブルを参照して当該外線番号を親番号とする子番号が存在する場合は当該子番号に関する登録情報を登録情報テーブルへ登録する登録管理手段とを備えるものである。
【００１１】
この際、登録管理手段で、子番号に関する登録情報として、登録情報テーブルに登録されている親番号の登録情報への参照を指示する子番号用登録情報を用いるようにしてもよい。あるいは、登録管理手段で、子番号に関する登録情報として、登録情報テーブルに登録されている親番号の登録情報と同じ登録情報を用いるようにしてもよい。
【００１２】
また、本発明にかかる呼制御方法は、ＩＰ網を介して音声パケットの送受信を行う複数の端末について、呼制御サーバで端末を収容するとともに当該端末の登録情報に基づき呼制御を行うことにより、ＩＰ網を用いた端末での音声通信を実現する、ＶｏＩＰサービスシステムの呼制御方法であって、呼制御サーバにより、各端末の外線番号のうちダイヤルインサービスを構成する親番号と子番号との対応関係を契約情報テーブルで管理するステップと、呼制御サーバにより、各端末の外線番号ごとに当該端末を呼制御するのに用いる各種登録情報を登録情報テーブルで管理するステップと、呼制御サーバにより、端末に関するレジスタ登録要求に応じて当該端末の外線番号に対応付けて当該レジスタ登録要求に含まれる登録情報を登録情報テーブルに登録するとともに、契約情報テーブルを参照して当該外線番号を親番号とする子番号が存在する場合は当該子番号に関する登録情報を登録情報テーブルへ登録する登録管理ステップとを備えるものである。
【００１３】
登録管理ステップで、子番号に関する登録情報として、登録情報テーブルに登録されている親番号の登録情報への参照を指示する子番号用登録情報を用いるようにしてもよい。あるいは、登録管理ステップで、子番号に関する登録情報として、登録情報テーブルに登録されている親番号の登録情報と同じ登録情報を用いるようにしてもよい。
【発明の効果】
【００１４】
本発明によれば、呼制御サーバで、収容する各端末の外線番号のうち、ダイヤルインサービスを構成する親番号と子番号との対応関係を管理しておき、任意の端末に関するレジスタ登録要求に応じて当該端末の外線番号に対応付けて当該レジスタ登録要求に含まれる登録情報が登録情報テーブルに登録されるとともに、契約情報テーブルが参照されて当該外線番号を親番号とする子番号が存在する場合は当該子番号が登録情報テーブルへ登録されるため、ダイヤルインサービスが提供される子番号に関するレジスタ登録要求を省くことができる。
したがって、ダイヤルインサービスの子番号を有する端末に関するレジスタ登録要求に起因して生ずる呼制御サーバの処理負担を軽減できるとともに、呼制御サーバと各端末とを結ぶ回線でのトラフィック増大を抑制できる。
【発明を実施するための最良の形態】
【００１５】
次に、本発明の実施の形態について図面を参照して説明する。
［第１の実施の形態］
まず、図１を参照して、本発明の第１の実施の形態にかかるＶｏＩＰサービスシステムについて説明する。図１は本発明の第１の実施の形態にかかるＶｏＩＰサービスシステムの構成を示すブロック図である。
このＶｏＩＰサービスシステムには、呼制御サーバ１０、ＩＰ網２０、ＩＰ−ＰＢＸ２５、および端末３０〜３３が設けられている。
【００１６】
図１において、端末３０〜３３は、広域ＬＡＮ（Local Area Network）回線などのアクセス回線を介してＩＰ−ＶＰＮ網からなるＩＰ網２０に接続されており、このＩＰ網２０を介して各種パケットをやり取りすることによりＶｏＩＰ音声通信やデータ通信を行う。
また、ＩＰ−ＰＢＸ２５は、広域ＬＡＮ（Local Area Network）回線などのアクセス回線を介してＩＰ−ＶＰＮ網からなるＩＰ網２０に接続されており、配下に収容する端末３１〜３３の管理を行うとともに端末３１〜３３とＩＰ網２０との接続を行う。
【００１７】
ＩＰ網２０には、呼制御サーバ１０が接続されており、端末３０〜３３およびＩＰ−ＰＢＸ２５と呼制御パケットをやり取りすることによりこれら端末３０〜３３およびＩＰ−ＰＢＸ２５の呼制御を行う。
また、ＩＰ網２０には、他のＶｏＩＰサービスシステムと当該ＶｏＩＰサービスシステムとを接続するＶｏＩＰゲートウェイや、ＰＳＴＮと当該ＶｏＩＰサービスシステムとを接続するＰＳＴＮゲートウェイなどが必要に応じて接続される（図示せず）。
【００１８】
また、各端末３０〜３３には、その音声ＶＰＮグループ内で、さらには各端末３０〜３３が属するグローバルな電話網、例えばＩＰ電話網全体さらにはＰＳＴＮを含めた電話網全体で、各端末３０〜３３を識別するための電話番号として外線番号が割り当てられている。
図１に示す例では、端末３０に外線番号「０５０３３３３５００１」が割り当てられている。また、端末３１〜３３には、ダイヤルインサービスが提供されており、端末３１には親番号として外線番号「０５０３４５０６００１」が割り当てられ、端末３２，３３には子番号として外線番号「０５０３４５０６００２」，「０５０３４５０６００３」がそれぞれ割り当てられている。
【００１９】
本実施の形態では、呼制御サーバ１０で、ダイヤルインサービスが提供されている各端末の親子関係に関する契約情報を管理しておき、ＩＰ−ＰＢＸ２５からの親番号に関するレジスタ登録要求に応じて、その親番号を持つ端末の登録情報を登録するとともに、当該親番号に関連する子番号を持つ端末の登録情報も登録するようにしたものである。
以下では、ＩＰ−ＰＢＸ２５の配下にある端末３１〜３３に対してダイヤルインサービスが適用されており、そのうち端末３１が親番号を持ち、端末３２，３３が子番号を持つ場合を例として説明する。
【００２０】
［呼制御サーバ］
次に、図２を参照して、本発明の第１の実施の形態にかかるＶｏＩＰサービスシステムで用いられる呼制御サーバ１０について詳細に説明する。図２は、本発明の第１の実施の形態にかかるＶｏＩＰサービスシステムで用いられる呼制御サーバの構成例を示すブロック図である。
呼制御サーバ１０は、全体としてコンピュータを有するサーバ装置からなり、通信インターフェース部（以下、通信Ｉ／Ｆ部という）１１、画面表示部１２、操作入力部１３、記憶部１４、および制御部１５が設けられている。
【００２１】
通信Ｉ／Ｆ部１１は、ＩＰ網２０に接続されて、端末３１〜３３の呼制御に必要な制御パケットなどの各種パケットを送受信する回路部である。
画面表示部１２は、ＬＣＤやＣＲＴなどの画面表示装置からなり、制御部１５からの指示に基づき各種情報を画面表示する。
操作入力部１３は、キーボードやマウスなどの操作入力装置からなり、オペレータの操作を検出して制御部１５へ出力する。
【００２２】
記憶部１４は、ハードディスクやメモリなどの記憶装置からなり、制御部１５での各種処理に用いる例えば内線／外線変換テーブル１４Ａ、外線／内線変換テーブル１４Ｂ、契約情報テーブル１４Ｃ、登録情報テーブル１４Ｄなどの各種管理情報やプログラム１４Ｐを記憶する。
これら管理情報は、画像表示部１２および操作入力部１３を用いて、あるいは通信Ｉ／Ｆ部１１を介して予め記憶部１４に登録される。プログラム１４Ｐは、制御部１５での各種処理を実現するプログラムであり、予め記録媒体や通信Ｉ／Ｆ部１１を介して取り込まれ記憶部１４に格納される。
【００２３】
制御部１５は、ＣＰＵなどのマイクロプロセッサとその周辺回路を有し、記憶部１４からプログラム１４Ｐを読み込んで実行することにより、各種機能手段を実現する機能部である。
この機能手段としては、呼制御手段１５Ａおよび登録管理手段１５Ｂがある。
このうち呼制御手段１５Ａは、管理下にある端末からの要求に基づき各種呼制御を行う手段である。また、登録管理手段１５Ｂは、管理下にある端末からのレジスタ登録要求（ＲＥＧＩＳＴＥＲリクエスト／ＳＩＰ）を受け付けて、その端末の登録情報を登録情報テーブル１４Ｄで管理する手段である。
【００２４】
［契約情報テーブル］
次に、図３を参照して、図１のＶｏＩＰサービスシステムで用いられる契約情報テーブル１４Ｃについて詳細に説明する。図３は、呼制御サーバ１０の持つ契約情報テーブルの構成例である。
この契約情報テーブル１４Ｃは、当該呼制御サーバ１０の管理下にある各端末の外線番号ごとに、当該端末に関するダイヤルインサービスにおける親番号を管理するテーブルであり、ダイヤルインサービスが提供されている各端末間での親子関係がこの契約情報テーブル１４Ｃにより管理される。
【００２５】
図３では、外線番号「０５０３４５０６００２」の端末３２と、外線番号「０５０３４５０６００３」の端末３３に対して、それぞれ端末３１の外線番号である親番号「０５０３４５０６００１」が設定されている。これにより、親番号を持つ端末３１に対して、子番号を持つ端末３２，３３が存在していることがわかる。
また、外線番号「０５０３３３３５００１」の端末３０には、親番号が設定されておらず、また他の外線番号の親番号にも指定されていないことから、ダイヤルインサービスが提供されていないことがわかる。
【００２６】
呼制御サーバ１０は、管理下にある任意の端末からの発信要求や他の呼制御サーバからの接続要求に応じて、その着信先電話番号と一致する外線番号を契約情報テーブル１４Ｃで検索し、その外線番号に対応する親番号を確認する。
【００２７】
［登録情報テーブル］
次に、図４を参照して、図１のＶｏＩＰサービスシステムで用いられる登録情報テーブル１４Ｄについて詳細に説明する。図４は、呼制御サーバ１０の持つ登録情報テーブルの構成例である。
この登録情報テーブル１４Ｄは、当該呼制御サーバ１０の管理下にある各端末の外線番号ごとに、契約ＩＤ、パスワード、ＩＰアドレス、加入者閉塞状態など、各端末の呼制御に用いる各種の登録情報を管理するテーブルである。
【００２８】
図４では、例えば外線番号「０５０３３３３５００１」の端末３０に対して、契約ＩＤ「２５６」、パスワード「ｈｏｇｅ１」、ＩＰアドレス「ａ．ｂ．０．１」、加入者閉塞状態「使用可」などの登録情報が設定されていることがわかる。
また、外線番号「０５０３４５０６００１」の端末３１に対して、契約ＩＤ「１２３４５６」、パスワード「ｈｏｇｅ２」、ＩＰアドレス「ａ．ｂ．１．１」、加入者閉塞状態「使用可」などの登録情報が設定されていることがわかる。なお、子番号に相当する外線番号「０５０３４５０６００２」の端末３２および外線番号「０５０３４５０６００２」の端末３３については、加入者閉塞状態「使用可」が具体的に設定されているものの、契約ＩＤ、パスワード、ＩＰアドレスなどの各項目には、親番号の端末３１に関する項目を参照するよう記載されている。
【００２９】
呼制御サーバ１０は、配下の端末３０やＩＰ−ＰＢＸ２５からのレジスタ登録要求に応じて、そのレジスタ登録要求で通知された登録情報を、当該外線番号に対応付けて登録情報テーブル１４Ｄへ登録する。その際、契約情報テーブル１４Ｃを参照して、当該登録情報の外線番号を親番号とする子番号が存在する場合には、前述した端末３２，３３のように、親番号参照を指示する旨の子番号用エントリをその子番号に対応付けて登録情報テーブル１４Ｄへ登録する。なお、登録情報テーブル１４Ｄの加入者閉塞状態については、保守者によるメンテナンスや認証誤り発生時など、当該端末の閉塞が必要な場合に設定される。
【００３０】
［第１の実施の形態の動作］
次に、図５を参照して、本発明の第１の実施の形態にかかるＶｏＩＰサービスシステムの登録管理処理動作について説明する。図５は、本発明の第１の実施の形態にかかるＶｏＩＰサービスシステムの登録管理処理動作を示すフローチャートである。
ここでは、前述した図１のＶｏＩＰサービスシステムにおいて、ＩＰ−ＰＢＸ２５から呼制御サーバ１０へレジスタ登録要求が行われた場合を例として説明する。
【００３１】
ＩＰ−ＰＢＸ２５では、定期的にあるいは必要に応じて、自装置の配下にある端末のうち、ダイヤルインサービスが提供されている端末の親番号に関するレジスタ登録要求を、ＩＰ網２０を介して呼制御サーバ１０へ送信する。
呼制御サーバ１０の制御部１５は、通信Ｉ／Ｆ部１１を介してＩＰ−ＰＢＸ２５からのレジスタ登録要求を受信し、登録管理手段１５Ｂにより、図５の登録管理処理を開始する。
【００３２】
登録管理手段１５Ｂは、まず、受信したレジスタ登録要求から登録情報を取得し（ステップ１０１）。この登録情報には、登録対象となる外線番号、契約ＩＤ、パスワード、ＩＰ−ＰＢＸ２５のＩＰアドレスなどの情報が含まれている。登録管理手段１５Ｂは、その登録情報の外線番号に対応付けて、その他の登録情報を、記憶部１４の登録情報テーブル１４Ｄへ登録する（ステップ１０１）。
【００３３】
続いて、記憶部１４の契約情報テーブル１４Ｃを参照し、登録した外線番号と一致する親番号を持つ外線番号すなわち子番号を検索する（ステップ１０２）。ここで、当該外線番号を親番号とする子番号が存在する場合は（ステップ１０２：ＹＥＳ）、親番号参照を指示する旨の子番号用登録情報をその子番号に対応付けて登録情報テーブル１４Ｄへそれぞれ登録し（ステップ１０３）、一連の登録管理処理を終了する。また、ステップ１０２で子番号が見つからなかった場合（ステップ１０２：ＮＯ）、一連の登録管理処理を終了する。
したがって、端末３１に関するレジスタ登録要求により、この端末３１を親番号とする子番号の端末３２，３３についても登録情報テーブル１４Ｄへ登録される。
【００３４】
このように、本実施の形態では、呼制御サーバで、ダイヤルインサービスが提供される親番号と子番号の親子関係を契約情報テーブルで管理しておき、レジスタ登録要求を受信した場合は、その登録対象となる外線番号に対応付けて当該登録情報を登録情報テーブルへ登録するとともに、契約情報テーブルを参照して登録対象となる外線番号に子番号が設定されている場合は、その子番号に関する登録情報についても登録情報テーブルへ登録するようにしたので、ダイヤルインサービスが提供される子番号に関するレジスタ登録要求を省くことができる。
したがって、ダイヤルインサービスの子番号を有する端末に関するレジスタ登録要求に起因して生ずる呼制御サーバの処理負担を軽減できるとともに、呼制御サーバと各端末とを結ぶ回線でのトラフィック増大を抑制できる。
【００３５】
なお、以上では、ＩＰ−ＰＢＸ２５の配下にある端末のうち、ダイヤルインサービスが提供されている端末の親番号に関するレジスタ登録要求を例として説明したが、呼制御サーバ１０に直接収容されている端末３０についても、端末３０から呼制御サーバ１０へレジスタ登録要求が送信され、呼制御サーバ１０で、図５と同様の登録管理処理によりその外線番号に対応付けて当該登録情報が登録情報テーブル１４Ｄへ登録される。また、ＩＰ−ＰＢＸ２５の配下に単独で契約した電話番号を持つ端末（図示せず）についても、ＩＰ−ＰＢＸ２５から呼制御サーバ１０へレジスタ登録要求が送信され、端末３０と同様にして当該外線番号に対応付けて登録情報が登録情報テーブル１４Ｄへ登録される。なお、これらの場合、当該外線番号に子番号が設定されていないことから、子番号に関する登録処理は行われない。
【００３６】
［呼接続処理］
次に、図６を参照して、本実施の形態にかかるＶｏＩＰサービスシステムの呼接続処理について説明する。図６は、本実施の形態にかかるＶｏＩＰサービスシステムの呼接続処理を示すシーケンス図である。
ここでは、前述した図１のＶｏＩＰサービスシステムにおいて、端末３０から端末３２へ発信した場合を例として説明する。
【００３７】
呼制御サーバ１０の制御部１５では、自装置の配下にある端末からの発信要求に応じて（ステップ２００）、呼制御手段１５Ａにより、端末３０からの発信要求に含まれる着信  
【００３８】
次に、記憶部１４の登録情報テーブル１４Ｄを参照して、外線番号からなる着信先電話番号に対応する着側端末ここでは端末３２に個別の加入者閉塞状況を確認し（ステップ２０２）、着側端末が使用不可であれば（ステップ２０３：ＮＯ）、発側端末３０へ発信エラーを通知し（ステップ２０４）、一連の呼接続処理動作を終了する。
【００３９】
一方、ステップ２０３において、着側端末が使用可であれば（ステップ２０３：ＹＥＳ）、登録情報テーブル１４Ｄから着側端末のＩＰアドレスを取得する（ステップ２１０）。この際、端末３２のように、着側端末のＩＰアドレス欄に親番号参照の旨が格納されている場合には、記憶部１４の契約情報テーブル１４Ｃを参照して、着信先電話番号に対応する親番号を取得し、その親番号に対応するＩＰアドレス、すなわちＩＰ−ＰＢＸ２５のＩＰアドレスを登録情報テーブル１４Ｄから取得する。
【００４０】
呼制御手段１５Ａは、このようにして取得した着側端末のＩＰアドレスを用いて、発側端末である端末３０の外線番号を発信元情報とし、着側端末である端末３２の外線番号を着信先情報とする接続要求を、通信Ｉ／Ｆ部１１からＩＰ網２０へ送信する（ステップ２１１）。
この接続要求は、ＩＰ網２０を介してＩＰ−ＰＢＸ２５で受信され、その接続要求に含まれる着信先情報により着側端末の外線番号が確認され（ステップ２１２）、ＩＰ−ＰＢＸ２５からその外線番号に対応する着側端末３２へ接続要求が送信される（ステップ２１３）。
【００４１】
端末３２は、ＩＰ−ＰＢＸ２５からの接続要求に応じて、スピーカからの着信音の送出、あるいはＬＥＤやＬＣＤなどを用いた着信表示により、利用者へ当該着信を報知し（ステップ２１４）、利用者による応答操作に応じてＩＰ−ＰＢＸ２５へ応答を通知する（ステップ２１５）。
この端末３２からの応答は、ＩＰ−ＰＢＸ２５を介して呼制御サーバ１０へ通知され（ステップ２１６）、さらに呼制御サーバ１０から発信元の端末３０へ通知される（ステップ２１７）。
【００４２】
これにより、端末３０と端末３２との間でＩＰ網２０およびＩＰ−ＰＢＸ２５を介してＲＴＰ（Real-time Transport Protocol）セッションが確立され、ＶｏＩＰ音声通信が開始されて（ステップ２１８）、当該ＶｏＩＰサービスシステムにおける一連の呼接続処理動作が終了する。
【００４３】
［第２の実施の形態］
次に、本発明の第２の実施の形態にかかるＶｏＩＰサービスシステムについて説明する。なお、ＶｏＩＰサービスシステムの構成、および呼制御サーバ１０の構成については、前述した第１の実施の形態と同様であり、ここでの詳細な説明は省略する。
前述した第１の実施の形態では、呼制御サーバ１０で、子番号の登録情報を登録情報テーブル１４Ｄへ登録する際、当該子番号の親番号に相当する登録情報への参照を指示する旨の子番号用登録情報をその子番号に対応付けて登録情報テーブル１４Ｄへそれぞれ登録場合について説明した。本実施の形態では、子番号用登録情報として、親番号と同じ登録情報を用いるようにしたものである。
【００４４】
すなわち、前述した図５のステップ１０３において、親番号と同じ登録情報をその子番号に対応付けて登録情報テーブル１４Ｄへそれぞれ登録する。これにより、図４の登録情報テーブル１４Ｄにおいて、子番号に相当する外線番号「０５０３４５０６００２」の端末３２および外線番号「０５０３４５０６００２」の端末３３については、契約ＩＤ、パスワード、ＩＰアドレスなどの各項目には、親番号の端末３１すなわち外線番号「０５０３４５０６００１」と同様に、契約ＩＤ「１２３４５６」、パスワード「ｈｏｇｅ２」、ＩＰアドレス「ａ．ｂ．１．１」という子番号用登録情報が設定される。
【００４５】
このように、子番号用登録情報として、その子番号に対応する親番号の登録情報と同じ登録情報を用いるようにしたので、呼制御において子番号に関する登録情報を参照する際、当該子番号の登録情報を登録情報テーブル１４Ｄから直接取得することができる。したがって、第１の実施の形態と比較して、当該子番号の親番号を取得してその親番号の登録情報を参照する必要がなくなり、登録情報の参照に要する処理時間を短縮できる。
【００４６】
［実施の形態の拡張］
以上の各実施の形態では、１つの呼制御サーバ１０で各端末を管理する場合を例として説明したが、これら呼制御サーバの数については、各端末や拠点の構成に応じて柔軟に増減させることができ、前述と同様の作用効果を得ることができる。
【００４７】
また、呼制御サーバ１０と端末３０およびＩＰ−ＰＢＸ２５との間でやり取りされる呼制御パケットはデータ量が極めて少なく、かつ遅延が問題とならないこと、さらにはＶｏＩＰ音声通信は呼制御サーバ１０を経由せずＩＰ網２０に確保した通信帯域を用いることから、呼制御サーバ１０については、ＩＰ網２０とＷＡＮ回線を介して接続された外部ＩＰ網（図示せず）に設け、これらＷＡＮ回線および外部ＩＰ網を介して、各端末の呼制御を行うようにしてもよい。
【図面の簡単な説明】
【００４８】
【図１】本発明の第１の実施の形態にかかるＶｏＩＰサービスシステムの構成を示すブロック図である。
【図２】本発明の第１の実施の形態にかかるＶｏＩＰサービスシステムで用いられる呼制御サーバの構成例を示すブロック図である。
【図３】本発明の第１の実施の形態にかかるＶｏＩＰサービスシステムで用いられる契約情報テーブルの構成例である。
【図４】本発明の第１の実施の形態にかかるＶｏＩＰサービスシステムで用いられる登録情報テーブルの構成例である。
【図５】本発明の第１の実施の形態にかかるＶｏＩＰサービスシステムの登録管理処理を示すフローチャートである。
【図６】本発明の第１の実施の形態にかかるＶｏＩＰサービスシステムの呼接続処理を示すシーケンス図である。
【符号の説明】
【００４９】
１０…呼制御サーバ、１１…通信Ｉ／Ｆ部、１２…画面表示部、１３…操作入力部、１４…記憶部、１４Ａ…内線／外線変換テーブル、１４Ｂ…外線／内線変換テーブル、１４Ｃ…契約情報テーブル、１４Ｄ…登録情報テーブル、１４Ｐ…プログラム、１５…制御部、１５Ａ…呼制御手段、１５Ｂ…登録管理手段、２０…ＩＰ網、２５…ＩＰ−ＰＢＸ、３０〜３３…端末。
【図１】
2006174110.tif 000003
【図２】
2006174110.tif 000004
【図３】
2006174110.tif 000005
【図４】
2006174110.tif 000006
【図５】
2006174110.tif 000007
【図６】
2006174110.tif 000008